(57)【特許請求の範囲】
【請求項１】
開放上端（６）、二つのそれぞれ上下端壁（１０，１１）、ならびに前記上下端壁（１０，１１）を拘束しかつ二つのそれぞれ前後主側壁（１３，１４）および二つの小側壁（１２）により画定された側面（９）を含み、前記前主側壁（１３）が窓（１８）を含む平行六面体の容器、
前記開放上端（６）を開閉する開放位置と閉鎖位置間で、前記容器（２）に対して回転するために蝶番（８）に沿って前記容器（２）に蝶番止めされた蓋（７）、
前記開放上端（６）の外方へ一部が突出しかつ前記蓋（７）が閉鎖位置のときに前記蓋（７）の対応する内面と係合するように前記容器（２）の内側に取り付けられたカラー（１５）、ならびに
容器（２）内に収容された一群（３）のシガレット（４）を含むシガレットパケットにおいて、
前記一群（３）のシガレット（４）は前記容器（２）の内側に収容されかつ引裂部（２７）を有する内包装紙（５）に包囲され、前記引裂部（２７）は前記内包装紙（５）の前壁（２２）を含みかつ前記窓（１８）を内部で被覆するために前記窓（１８）に対面して設置され、前記引裂部（２７）が前記容器（２）の内側から一旦除去されると、前記一群（３）のシガレット（４）は前記窓（１８）を介してパケット（１）外側から視認できることを特徴とする、シガレットパケット。
【請求項２】
前記窓（１８）は前記容器の対応する壁（１３）内の貫通孔（１９）により形成されていることを特徴とする、請求項１のシガレットパケット。
【請求項３】
前記窓（１８）は前記容器の対応する壁（１３）内の貫通孔（１９）により形成され、かつ前記貫通孔（１９）で前記容器（２）に接着された透明プラスチック材料によるシート（２０）により形成された透明窓であることを特徴とする、請求項１のシガレットパケット。
【請求項４】
透明プラスチック材料による前記シート（２０）は前記容器（２）の対応する壁（１３）の内面に接着されていることを特徴とする、請求項３のシガレットパケット。
【請求項５】
前記引裂部（２７）の下部は前記窓（１８）と実質的同一幅を有することを特徴とする、請求項１のシガレットパケット。
【請求項６】
前記窓（１８）に重合している前記引裂部（２７）の部分は前記窓と実質的同一幅を有することを特徴とする、請求項１から５のいずれか１のシガレットパケット。
【発明の詳細な説明】
【技術分野】
【０００１】
本発明はシガレットのパケットに関する。
【背景技術】
【０００２】
ＤＥ８７１１５７４Ｕ１は蝶番式蓋を有する硬質容器、および前記容器内に収容されかつ前開口部を有するフォイル包装紙内に包囲された一群のシガレットを含むシガレットパケットを開示する。前壁において、容器は透明窓を有し、この透明窓はフォイル包装紙内の前開口部上に全体的かつ直接的に形成され、それにより一群のシガレットの前部がシガレットのパケットの外部から視認できるようになっている。
【０００３】
ＤＥ１９９６４５４Ｕは容器、および容器内に収容された一群のシガレットを含むシガレットのパケットを開示する。前壁において、容器は透明窓を有し、それにより一群のシガレットがシガレットのパケット外部から視認できる。
【０００４】
上述のＤＥ８７１１５７４Ｕ１およびＤＥ１９９６４５４Ｕは透明窓を有する容器を含むシガレットのパケットを開示し、それにより一群のシガレットの一部がシガレットのパケット外部から視認でき、そのようにしてパケット使用者による内容物の観察を可能にし、かつパケット内に何本のシガレットが残っているかをパケットを開放することなく観察できるようにする。
【０００５】
ＤＥ８７１１５７４Ｕ１およびＤＥ１９９６４５４Ｕに記載のシガレットのパケットは、しかし、大きな欠点を有する。即ち、新しいパケットは、通常、ディスプレ設備に入れて小売り業者により販売のために陳列され、その場合にシガレットのパケットは数日間販売されない場合がある。かかる場合に、シガレットパケットは人工光、かつ特に太陽光に暴露され、かかる光は透明窓からシガレットの露出部分を打撃することにより露出部分のシガレットの色彩を変色させ、パケットを非売品にしてしまう。
【０００６】
【特許文献１】ＤＥ８７１１５７４Ｕ１
【特許文献２】ＤＥ１９９６４５４Ｕ
【発明の開示】
【発明が解決しようとする課題】
【０００７】
本発明の課題は、上述の欠点を解消するように設計され、かつ同時に製造を廉価かつ容易にするシガレットパケットを提供することにある。
【課題を解決するための手段】
【０００８】
本発明によれば、窓を有する壁を含む容器、および前記容器内に収容された一群のシガレットを含むシガレットパケットが提供され、前記シガレットパケットにおいて、一群のシガレットは前記窓を一体的かつ部分的に被覆するために前記窓に対面して設置された引裂部を有する内包装紙に包囲されていることを特徴とする。
【発明を実施するための最良の形態】
【０００９】
以下、添付図面を参照して例示として本発明の非制限的実施形態を説明する。
【００１０】
図１において参照番号１は硬質シガレットパケットを全体的に示し、シガレットパケットはカップ形容器２、および一群３のシガレット４を含む。シガレットの一群３は実質的平行六面形態であり、フォイル包装紙５に包囲され、かつ容器２の内側に収容されている。容器２は開放上端６、およびそれぞれ開放上端６を開閉する開放位置（図２および３）と閉鎖位置（図１）との間で容器２に対して回転するように蝶番８に沿って容器２に蝶番止めされたカップ形蓋７を含む。
【００１１】
蓋７が閉鎖位置のときに、容器２は、側面９、および相互に対して平行に対面しかつ側面９を拘束する二つのフラットで同一の上下端壁１０および１１により画定された実質的矩形の平行六面体を形成する。
【００１２】
側面９は、相互に平行に対面する二つのフラットな小側壁１２、および相互に対面しかつ小側壁１２を横切る二つのフラットな主側壁１３および１４を含む。更に具体的には、一方の主側壁１３は容器２の前壁を形成し、かつ他方の主側壁１４は容器２の後壁を形成する。
【００１３】
パケット１は、また、カラー１５を含み、カラー１５はＵ形に折り曲げた位置において容器２内に取り付けられ（接着され）、上開放端６の外方へ一部が突出しかつ蓋７が閉鎖位置（図１）のときに蓋７の対応する内面と係合するように取り付けられる。更に具体的には、カラー１５は容器２の前壁１３に連結される前壁１６、および前壁１６の両側に位置しかつ容器２の小側壁１２に連結される二つの側壁１７を含む。
【００１４】
容器２の前壁１３は透明窓１８を含み、透明窓１８は前壁１３内の貫通孔１９（図５）により、そして接着剤のビード２１（図５）により前壁１３の内面へ連結される透明プラスチック材料によるシート（図５）により形成される。
【００１５】
内包装紙５は前壁２２、前壁２２に平行に対峙する後壁２３、二つの平行の側壁２４、上端壁２５、および上端壁２５に平行に対峙する下端壁２６により形成された実質的矩形の平行六面体の形態に形成される。
【００１６】
内包装紙５は、引裂部２７を含み、引裂部２７は前壁２２の一部、上端壁２５の一部、および側壁２４のそれぞれの一部を含む。更に具体的には、引裂部２７は破断線２８により内包装紙５の残部から剥がされ、かつ透明窓１８を内部で覆うために透明窓と直接接触するように位置決めされる。パケット１が新しいときには、一群３のシガレット４は内包装紙５により被覆されているのでパケット１の外から視認できない。容器２が使用者により開封されると、使用者は内包装紙５の引裂部２７を剥がしてシガレット４を内包装紙５から抜き取ることができ、かつ一旦引裂部２７が除去されると、一群３のシガレット４は透明窓１８を通してパケット１の外側から視認できる。
【００１７】
引裂部２７の下部は、好適には、透明窓１８の幅と実質的同様の（即ち同一かまたは僅かに大きい）幅、即ち長手を横切る寸法を有する。これは、引裂部２７を除去するときに引裂部２７が摩擦によりシガレット４を上昇させるのを阻止するためにできるだけ狭くしなければならないからである。
【００１８】
カラー１５は、従って、容器２の内側に取り付けられるときに透明窓１８を覆わないように設計されなければならない。図示好適形態において、カラー１５の前壁１６は孔２９を含み、孔２９は透明窓１８と少なくとも同一寸法でありかつその上に重合する。この解決策は、カラー１５の前壁１６を容器２の前壁１３と同様寸法にすることを可能にすることにより特に有利であり、かつ従って透明窓１８の存在にもかかわらず、容器２の前部の必要な剛性および硬度を確実にするのに役立つ。
【００１９】
図５に示されたように、容器２は対応するフラットなブランク３０から形成され、フラットブランク３０は実質的に細長い矩形に形成され、かつその数カ所は可能なかぎり容器２の対応する部分と同一参照番号を使用し肩文字を付けて示されている。
【００２０】
ブランク３０（長手中心軸３１を有する）は二つの長手折り線３２、および二つの長手折り線３２間で、前壁１３の上部を形成するパネル１３’（特に蓋７の一部を形成する部分）、上端壁１０を形成するパネル１０’、後壁１４を形成するパネル１４’、下端壁１１を形成するパネル１１’、および前壁１３の下部を形成するパネル１３’を形成する複数の長手を横切る折り線３３を含む。
【００２１】
各パネル１３’、１３”、１４’は二つの側ウイング１２’および１２”を有し、二つの側ウイングは対応するパネル１３’、１３”、１４’の反対側にあり、かつ長手折り線３３によりそれぞれのパネル１３’、１３”、１４’から分離している。パネル１３’は強化フラップ３４を有し、かつパネル１４’の各ウイング１２’、１２”は、それぞれのウイング１２’、１２”の端にありかつ相互に対して長手方向で整列した矩形の長手付属部３５を有する。
【００２２】
各パケット１を形成するときに、側ウイング１２’および側ウイング１２”
を重ね合わせ共に接着して容器２の小側壁１２を形成する。更に、各長手付属部３５をそれぞれの側ウイング１２’または１２”に対して四角く折り曲げ、かつ重ね合わせ、それぞれのパネル１０’または１１’の内面に接着してパケット１の対応する端壁１０または１１の内部を形成する。
【００２３】
異なる実施形態において、一群３のシガレット４を収容する包装紙５をフォイル以外の包装材料、例えば紙またはプラスチック材料で形成する。
【００２４】
図示されていない他の実施形態において、容器２の幾つかの長手かつ／または長手を横切る縁を面取りまたは円弧状にする。または容器２は一つまたはそれ以上の凸状側壁１２、１３、１４を含んでよい。選択的に、容器２は平行六面体以外の形状、例えば楕円形または三角形断面を有してよい。
【００２５】
添付図面はシガレットの硬質パケット１を示すが、このパケットは硬質パッキング材料によるシート（ブランク３０）を一群３のシガレット４のまわりに折り曲げて形成した硬質容器２を含む。選択的に、シガレットのパケット１は、軟質パッキング材料によるシートを一群３のシガレット４のまわりに折り曲げて形成した軟質容器２を含み、この場合に、軟質容器２は自明なように蓋７またはカラー１５を有しない。
【００２６】
従って、シガレットパケット１はシガレットパケット１を封止する前に光による劣化に対してシガレット４を保護し、同様に使用者がパケット１を一旦開封するとパケットを開放することなくシガレットのパケット１内の中身を見る事ができるようにする。更に、使用者は、シガレットパケット１が開封されたか否かを直ちに知ることができる。即ち、シガレットが透明窓１８から視認できない場合、これは内包装紙５の引裂部２７が未だ当初の位置にあり、かつシガレットパケット１が未開封であることを意味する。
【図面の簡単な説明】
【００２７】
【図１】本発明によるシガレットパケットの閉鎖位置における前方斜視図を示す。
【図２】図１のシガレットパケットの開放位置における前方斜視図を示す。
【図３】開放位置における図１のシガレットパケットのフォイル包装紙の前部を除去した前方斜視図を示す。
【図４】図１のシガレットパケットの分解斜視図を示す。
【図５】図１のシガレットパケットのブランクの平面図を示す。
【図１】
0004511518.tif 000002
【図２】
0004511518.tif 000003
【図３】
0004511518.tif 000004
【図４】
0004511518.tif 000005
【図５】
0004511518.tif 000006